(57)【要約】      （修正有）【課題】  携帯端末同士でやり取りされるメール本文に広告を付加することでメール本文を広告媒体として活用し、広告の流通量を増加させること、配信する広告を確実に閲覧させること、閲覧後、広告主のサーバへのアクセス率を向上すること。【解決手段】  広告主が広告を登録する広告登録手段と、登録された広告を管理する広告管理装置と、メール本文に広告を付加する広告付加装置と、メール本文に付加する広告を選別する広告選別手段と、広告付加メールの送信者にインセンティブを付与するインセンティブ付与手段と、広告主のサーバへのアクセス有無を判断するために利用する経由装置と、経由装置を通過する回数のカウント装置と、経由したユーザへのインセンティブ付与手段と、会員登録時に取得するユーザ属性及び発行する会員ＩＤなどを管理する会員管理装置を備える。【選択図】図１
2007156368.tif 000002
【特許請求の範囲】
【請求項１】
広告主が広告を登録する広告登録手段と、登録された広告を管理する広告管理装置と、メール本文に広告を付加する広告付加装置と、メール本文に付加する広告を選別する広告選別手段と、本文に広告付加メールを送信者にインセンティブを付与するインセンティブ付与手段と、広告主のサーバへのアクセス有無を判断するために利用する経由装置と、経由装置を通過する回数のカウント装置と、経由したユーザーへのインセンティブ付与手段と、メール本文に広告付加することを許諾させインセンティブ付与のため予めユーザーに会員登録させる会員登録手段と、会員登録時に取得するユーザー属性及び発行する会員ＩＤなどを管理する会員管理装置を備えることを特徴とするシステム
【請求項２】
前記広告登録手段は、通信手段を有する端末を利用して前記会員管理装置で管理される属性を選択可能な登録手段
【請求項３】
前記広告付加装置は、メール送信者（会員）により広告付加の有無及び、広告主が広告を付加する部分を選択・指定可能な装置
【請求項４】
前記広告付加装置は、メール送信者に広告付加の見返りとしてインセンティブを付与する手段を有する装置
【請求項５】
前記経由装置は、広告主のサーバーにアクセスする前に経由しアクセス要求元のユーザーとアクセス先の広告主を判断しアクセス元のユーザーにインセンティブ付与する手段を有する装置
【請求項６】
前記会員管理装置は、会員登録時に取得するユーザー属性の項目を自由に設定できる装置
【発明の詳細な説明】
【技術分野】
【０００１】本発明は、通信機能を有する携帯端末同士で送受信されるメールを媒体とする広告配信及びインセンティブ付与システムに関するものである。
【背景技術】
【０００２】従来、通信機能を有する携帯端末にて接続可能なサイト上に広告となる画像やテキストをリンクとして表示し広告主のサーバにアクセスさせる広告手法は存在する。【０００３】また、メール配信の会員に対して送付するメールを利用しメール本文中に広告テキスト及び広告主のサーバのアドレス又は、ＵＲＬを表示し広告主のサーバにアクセスさせる広告手法は存在する。【０００４】また、上記既存の広告手法において、広告主のサーバにアクセスした場合に対してユーザにポイントなどのインセンティブを付与し広告の宣伝効果を高める手法が取られている。
【発明の開示】
【発明が解決しようとする課題】
【０００５】しかしながら従来のシステムでは、ユーザに広告を閲覧させる為には、ＷＥＢサイトにアクセスさせる必要がありＷＥＢサイトにアクセスされない限り広告を閲覧されないという問題があった。【０００６】また、上記に加え、ＷＥＢサイト上に広告を配信する広告主は、広告配信対象者をＷＥＢサイト閲覧者とするため、実際に広告を閲覧するユーザの属性が広告配信ターゲット属性と差異が発生する問題があった。【０００７】また、配信するターゲットのユーザ属性を絞り込むことが可能な手法としてメールマガジンによる広告配信の形式が取られるが、配信ターゲット属性の会員を多く所有するメールマガジンを探す必要があるという問題があった。【０００８】本発明の課題は、通信機能を有する携帯端末同士でやり取りされるメール本文に広告を付加することでメール本文を広告媒体として活用し、広告の流通量を増加させることであり、配信する広告を確実に閲覧させることであり、閲覧後、広告主のサーバへのアクセス率を向上することであり、広告主のサーバにアクセスする人数を増加させることである。
【課題を解決するための手段】
【０００９】上記の問題を解決するため本発明では、広告主が広告を登録する広告登録手段と、登録された広告を管理する広告管理装置と、メール本文に広告を付加する広告付加装置と、メール本文に付加する広告を選別する広告選別手段と、広告付加メールの送信者にインセンティブを付与するインセンティブ付与手段と、広告主のサーバへのアクセス有無を判断するために利用する経由装置と、経由装置を通過する回数のカウント装置と、経由したユーザへのインセンティブ付与手段と、メール本文に広告付加することを許諾させインセンティブ付与のため予めユーザに会員登録させる会員登録手段と、会員登録時に取得するユーザ属性及び発行する会員ＩＤなどを管理する会員管理装置を備えることを特徴とするシステムである。【００１０】また、例えば、前記広告登録手段は、会員管理装置で管理するユーザの属性項目を選択することで広告を配信するターゲットにメールを送信すると予想されるユーザ属性を絞りこむ手段を備えてもよい。【００１１】また、例えば、前記広告付加装置は、メールサーバに組み込む（インストールする）装置としてもよい。【００１２】また、例えば、広告メール送信者にインセンティブを付与するインセンティブ付与手段は、メールサーバに組み込むことによって実現する構成としてもよい。【００１３】また、例えば、広告付加メールの件名は、“承諾済み広告付き”などの件名を見て広告が付加されていると判断できる件名としてもよい。【００１４】また、例えば、前記広告データをメール本文に付加こと広告付加装置は、メール送信者が広告付加の拒否機能を有してもよい。【００１５】また、例えば、配信するターゲットユーザーにメールを送信すると予想されるユーザ属性を絞り込むために、会員管理装置のユーザ属性以外に他の方法で取得した属性データと結びつける構成としてもよい。【００１６】また、例えば、メールを受信するユーザーにも会員登録させることで、広告主が配信するターゲットをより正確に絞りこませる構成としてもよい。【００１７】また、例えば、広告配信装置は、広告主が登録する広告データに限らず懸賞やプレゼントなどの特典データを取り込み複数の広告データと共に配信できる装置としてもよい。【００１８】また、例えば、インセンティブとして付与する実体として携帯電話機の通話料金支払いへの利用や、電子商取引での利用に変換できるポイントなどとしてもよい。
【発明の効果】
【００１９】本発明によれば、通信機能を有する携帯端末にて送受信するメールを広告媒体として利用することにより広告の流通量を増加できる。また広告を配信する広告主は、配信ターゲットにメールを送信すると予想されるユーザ属性を絞りこむことが可能であり、ユーザ同士で送受信されるメール本文に広告が付加されるため広告メールやメールマガジンと比較して、より確実に広告を閲覧させることができ、宣伝効果を高めることができる。また広告付加メールを許諾し送信するユーザに対して、広告付加の見返りとしてインセンティブを付与するため、広告付加の許諾率が高まり、受信するユーザにも広告主のサーバにアクセスした見返りとしてインセンティブを付与するため広告主のサーバへのアクセス率を高めることが可能である。また、広告再生装置にて特典データが表示されるため、広告データをユーザが注視することも期待できる。
【発明を実施するための最良の形態】
【００２０】本発明の実施形態として、図１に全体構成を示す。【００２１】図１に示すように、本実施の形態の広告配信システムは、通信機能を有しメール送受信可能な携帯端末１０及び２０と、広告主９０が広告を登録する手段を有する広告管理装置としての広告管理サーバ６０と、メール送信に広告付加を許諾しインセンティブを付与されるため予め会員登録する手段を有しユーザ属性を管理する会員管理装置としての会員管理サーバ５０と、携帯端末１０からメール送信要求を受け、会員管理サーバ５０と広告管理サーバ７０のデータから広告を抽出しメール本文に広告を付加する広告付加装置及び送信ユーザに対してインセンティブを付与する手段の組み込まれたメールサーバとして動作する広告付加メールサーバ３０と、広告主のサーバへのアクセス有無を判断しアクセス回数をカウント及び受信ユーザに対してインセンティブを付与する手段の組み込まれた経由サーバ７０と、インセンティブを管理するインセンティブ管理サーバ８０と、広告主のサーバ４０で構成される。【００２２】携帯端末１０及び２０は、通信機能を有しメール送受信可能な携帯端末の代表として携帯電話機を図１に示したものであり、携帯端末以外に携帯可能な端末、例えばＰＤＡ、携帯可能なＰＣ、携帯可能なゲーム機、携帯可能な音楽及び動画プレイヤーなどとしてもよい。【００２３】広告主９０が広告を登録するクライアントとなるマシンは代表として携帯可能なＰＣを図で示したものであり、通信可能な端末機などとしてもよい。【００２４】インセンティブを管理するインセンティブ管理サーバ８０は、会員管理サーバ５０に吸収する構成としてもよい。【００２５】広告を出稿する広告主９０は、広告登録手段を有する広告管理サーバ６０にアクセスし、広告を配信するターゲットユーザにメールを送信すると予想されるユーザ属性を選択し、出稿する広告データ（画像、テキストなど）を入力し登録する。【００２６】次に図２を参照して、携帯端末１０が携帯端末２０に送信するメールに対しての広告付加処理について説明する。携帯端末１０がメールを送信すると、広告付加メールサーバ３０は送信者のメールアドレスなどをキーに会員管理サーバ５０から会員属性を取得し広告管理サーバ７０からその属性に見合う広告データを取得しメール本文に付加する。【００２７】次に図３を参照して、メール送信元の携帯端末１０のユーザがメールを送信したタイミングで実施されるインセンティブの付与処理を説明する。携帯端末１０から送信要求を受け取った広告付加メールサーバ３０は、広告データをメール本文に付加後、付加された広告データに基づきインセンティブ管理サーバに対して送信ユーザと付与するインセンティブを登録する。【００２８】次に、図４を参照して経由サーバ７０の処理について説明する。携帯端末２０の受信ユーザがメール本文に付加された広告データとして表示されるボタンまたはテキストを押下し広告主のサーバ４０にアクセスする前に必ず経由サーバ７０を経由する。経由サーバ８０は、ユーザと広告主及び広告データを判断しインセンティブ管理サーバ８０に記録すると同時にユーザのアクセス要求を広告主サーバ４０にリダイレクトする。【００２９】次に、メール本文に広告を付加する携帯端末１０を利用するユーザは会員登録をする。会員登録は会員管理サーバ５０にアクセスすることで必要な属性データの入力を実施する。また会員登録にて取得した属性データは、会員属性管理サーバ５０に記録する。
【図面の簡単な説明】
【００３０】
【図１】システム全体構成図
【図２】送信メール広告付加処理シーケンス
【図３】経由サーバ処理シーケンス
【符号の説明】
【００３１】１０  通信機能を有しメールを送信する携帯端末
２０  通信機能を有しメールを受信する携帯端末
３０  広告付加メールサーバ
４０  広告主サーバ
５０  会員管理サーバ
６０  広告管理サーバ
７０  経由サーバ
８０  インセンティブ管理サーバ
９０  広告主
【図１】
2007156368.tif 000003
【図２】
2007156368.tif 000004
【図３】
2007156368.tif 000005